(57)【特許請求の範囲】
【請求項１】
内周面に螺旋溝（１ａ）を設けた筒状の容器本体（１）内に、上下方向にガイド孔（２ａ）を有するガイド筒（２）を相対回転可能に収容し、このガイド筒（２）内に、筒状のカップ本体（３ａ）と、このカップ本体（３ａ）内に移動可能に収容された底部材（３ｂ）とからなる、被繰り出し物を保持する二重構造のカップ（３）を収容し、上記底部材（３ｂ）の側部に、カップ本体（３ａ）及びガイド筒（２）を貫通し容器本体（１）の螺旋溝（１ａ）に係合する係合突起（４）を設け、容器本体（１）に対してガイド筒（２）を相対回転させることにより二重構造のカップ（３）を螺旋溝（１ａ）に沿って上下方向に移動可能とし、カップ本体（３ａ）の移動を制限した状態で底部材（３ｂ）をカップ本体（３ａ）に対して更に移動可能とした繰り出し容器において、カップ（３）を構成する底部材（３ｂ）の外側面に複数段の係合溝（６）を形成し、この複数段の係合溝（６）に対して上下方向に順次係脱可能な突起（７）をカップ本体（３ａ）の内面に形成し、カップ本体（３ａ）に形成した突起（７）の背面側に撓み空間（A）を設け、この複数段の係合溝（６）と突起（７）との係脱を互いの相対的な弾性変形により可能にしたことを特徴とする繰り出し容器。
【請求項２】
底部材（３ｂ）に形成した係合溝（６）の背面側に撓み空間（B）を設けたことを特徴とする請求項１に記載の繰り出し容器。
【発明の詳細な説明】
【技術分野】
【０００１】
この発明は、口紅やリップクリーム等のように、容器内から内容物を繰り出して使用する繰り出し容器に関するものである。このような繰り出し容器に収容される内容物、即ち、被繰り出し物としては、口紅やリップクリームのように比較的柔らかいスティック状に形成されたものが代表的であるが、その他に、ファンデーション、アイシャドウ、頬紅、クリーム（下地、美白、洗顔、クレンジングなど）等の仕上げ又は皮膚用化粧品類、整髪料、染毛料、ヘアトリートメント等の頭髪用化粧品類、日やけ止め又は日やけ用等の特殊用途化粧品類、香料類、ハップ剤、皮膚防護剤、殺菌剤、痒み止め剤等の医療用塗布剤類、スティック糊等の事務用品類、靴下止め、カー用品としての曇り止めや傷補修材、しみ取り、靴墨等の雑貨類など種々の用途のものがある。
【背景技術】
【０００２】
この種の繰り出し容器は、図８及び図９に示すように、内周面に螺旋溝１ａを設けた筒状の容器本体１内に、上下方向にガイド孔２ａを有するガイド筒２を相対回転可能に収容し、このガイド筒２内に被繰り出し物を保持するカップ３を収容し、このカップ３の外面に、ガイド筒２のガイド孔２ａを介して、容器本体１の内周面の螺旋溝１ａに係合する係合突起４を設け、容器本体１とガイド筒２との相対回転により容器本体１に対してカップ３を昇降可能にして、被繰り出し物の繰り出しを行うものである。
【０００３】
ところで、従来、カップ３内に残った被繰り出し物を無駄なく使用するために、カップ３を、カップ本体３ａと、カップ本体３ａ内に昇降可能に収容する底部材３ｂとの２重構造にし、上記カップ３を容器本体の上方まで繰り出した後、カップ本体３ａの移動を制限した状態で底部材３ｂをカップ本体３ａに対して更に移動可能とし、カップ本体３ａ内に残った被繰り出し物を、カップ本体３ａの上方へ押し上げるようにしたものを、本願の発明者らは既に開示している（特許文献１、特許文献２）。
【０００４】
【特許文献１】特開平９−１６９３７４号公報
【特許文献２】特開２０００−３４２３２９号公報
【発明の開示】
【発明が解決しようとする課題】
【０００５】
上記のように、被繰り出し物を保持するカップ３を、カップ本体３ａと、底部材３ｂとの２重構造とし、カップ３の通常の繰り出し終了後に、カップ３の底部材３ｂを更に上昇させることができる繰り出し容器は、カップ３内の被繰り出し物を無駄なく使用できるという利点を有する。
【０００６】
この種の繰り出し容器では、底部材３ｂの外周面に階段状に複数段の係合溝６が形成され、カップ本体３ａ内に底部材３ｂの外面の係合溝６と係合する突起７が形成され、被繰り出し物が減らずに容器内に十分に残っている状態では、図９（ｂ）に示すように、カップ本体３ａ内に収容した底部材３ｂが、カップ本体３ａの下端に押し込まれた位置にあって、底部材３ｂの外面の最上段の係合溝６に突起７が係合している。そして、被繰り出し物の残りが少なくなり、カップ本体３ａ内に残る被繰り出し物を使用しようとする場合には、カップ本体３ａの移動を制限した状態で、通常の繰り出しに要する力よりもより強い力で容器本体１とガイド筒２とを相対回転させて、カップ本体３ａに対し底部材３ｂを強く押し上げることにより、カチカチとカップ本体３ａの突起７が最上段の係合溝６から順番に下段の係合溝６に向かって、各係合溝６間の堰状突部を乗り越えて、下段の係合溝６に順番に移動し、図９（ｃ）に示すように、カップ本体３ａに対し底部材３ｂが順次押し上げられ、カップ本体３ａ内に残る被繰り出し物を最後まで使い切ることができる。
反対に、図９（ｃ）に示す位置から、カップ本体３ａの移動を制限した状態で、カチカチとカップ本体３ａの突起７を、最下段の係合溝６から順番に上段の係合溝６に向かって、各係合溝６間の堰状突部を乗り越えて移動させると、カップ本体３ａに対し底部材３ｂを、図９（ｂ）に示す位置まで戻すことができる。
【０００７】
ところで、カチカチとカップ本体３ａの突起７を、各係合溝６間の堰状突部を乗り越えて移動させる際の抵抗が大きいと、突起７が係合溝６に嵌まる際の衝撃が大きくなり、その衝撃により、被繰り出し物が底部材３ｂの上面の支持面から外れて被繰り出し物が脱落するおそれがある。
また、反対に、カチカチとカップ本体３ａの突起７を、各係合溝６間の堰状突部を乗り越えて移動させる際の抵抗が小さすぎる場合には、被繰り出し物が十分あって、カップ本体３ａ内の被繰り出し物を繰り出す必要のない場合でも、被繰り出し物が通常よりも突出した状態となり、被繰り出し物が途中で折れたり、脱落したりし易くなる。
このように、カップ本体３ａ内における底部材３ｂの移動に要する抵抗は、強すぎてもいけないし、弱すぎてもいけない。
【０００８】
そこで、この発明は、カチカチとカップ本体３ａの突起７が、各係合溝６間の堰状突部を乗り越えて移動させる際の抵抗が、強すぎず、また弱すぎない適度な強さを保つことができる構造の繰り出し容器を得ようとするものである。
【課題を解決するための手段】
【０００９】
この発明は、上記の課題を解決するために、内周面に螺旋溝１ａを設けた筒状の容器本体１内に、上下方向にガイド孔２ａを有するガイド筒２を相対回転可能に収容し、このガイド筒２内に、筒状のカップ本体３ａと、このカップ本体３ａ内に移動可能に収容された底部材３ｂとからなる、被繰り出し物を保持する二重構造のカップ３を収容し、上記底部材３ｂの側部に、カップ本体３ａ及びガイド筒２を貫通し容器本体１の螺旋溝１ａに係合する係合突起４を設け、容器本体１に対してガイド筒２を相対回転させることにより二重構造のカップ３を螺旋溝１ａに沿って上下方向に移動可能とし、カップ本体３ａの移動を制限した状態で底部材３ｂをカップ本体３ａに対して更に移動可能とした繰り出し容器において、カップ３を構成する底部材３ｂの外側面に複数段の係合溝６を形成し、複数段の係合溝６に対して上下方向に順次係脱可能な突起７をカップ本体３ａの内面に形成し、この複数段の係合溝６と突起７との係脱を、互いの相対的な弾性変形により可能にしたのである。
【００１０】
このように、複数段の係合溝６と突起７との係脱を、互いの相対的な弾性変形により可能にすることにより、カチカチとカップ本体３ａの突起７が、各係合溝６間の堰状突部を乗り越えて移動させる際の抵抗を、強すぎず、また弱すぎない適度な強さに保つことができる。
【００１１】
上記複数段の係合溝６に対するカップ本体３ａの内面の突起７の相対的な弾性変形は、係合溝６又は突起７の背面側に、撓み空間を設けることにより可能である。
【００１２】
また、上記複数段の係合溝６の対向する上下の内壁面を、外側に向かって開く傾斜面にすることにより、カップ本体３ａの突起７が、各係合溝６間の堰状突部を乗り越えて移動させる際の抵抗を弱くすることができる。
【００１３】
上記傾斜面の傾斜角度が、係合溝６の上下の内壁面のうち、底部材３ｂをカップ本体３ａに対して繰出す際に、カップ本体３ａの突起７が当接する係合溝６の下方の内壁面の傾斜が、上方の壁面の傾斜よりも急傾斜に形成することにより、底部材３ｂをカップ本体３ａに対して繰出す方向には、カップ本体３ａの突起７が、各係合溝６間の堰状突部を乗り越えて移動させる際の抵抗を強め、反対方向、即ち、カップ本体３ａに対し底部材３ｂを引き戻す方向の抵抗を弱めることができる。
【００１４】
また、カップ本体３ａの内面に形成された突起７の上下の壁面を、底部材３ｂの係合溝６に向かって先細りの傾斜面とすることによっても、カップ本体３ａの突起７が、各係合溝６間の堰状突部を乗り越えて移動させる際の抵抗を弱くすることができる。
【００１５】
上記突起７の上下の傾斜面のうち、底部材３ｂをカップ本体３ａに対して繰出す際に、係合溝６の内壁面に当接する突起７の下方の傾斜面の傾斜角度が、上方の傾斜面よりも急傾斜に形成することにより、底部材３ｂをカップ本体３ａに対して繰出す方向には、カップ本体３ａの突起７が、各係合溝６間の堰状突部を乗り越えて移動させる際の抵抗を強め、反対方向、即ち、カップ本体３ａに対し底部材３ｂを引き戻す方向の抵抗を弱めることができる。
【００１６】
次に、底部材３ｂの上面には、被繰り出し物の下面に埋め込まれるアンカー突起１２を設けることにより、被繰り出し物の脱落をより効果的に防止できる。
【００１７】
上記カップ本体３ａの内面には、被繰り出し物の外側面に埋め込む突条１３を上下方向に設けてもよい。
上記ガイド筒２の下部には、容器本体１の下方に突出する袴部１０を設けてもよい。
【発明の効果】
【００１８】
上記のように、この発明によれば、カチカチとカップ本体３ａの突起７が、各係合溝６間の堰状突部を乗り越えて移動させる際の抵抗を、強すぎず、また弱すぎない適度な強さに保つことができるので、被繰り出し物の脱落をより効果的に防止できる。
【発明を実施するための最良の形態】
【００１９】
図１〜図４は、この発明に係る繰り出し容器の一形態を示している。なお、符合は、図８及び図９で示した従来例と共通する部材は共通の符合を付している。
【００２０】
この発明に係る繰り出し容器は、図１（ｃ）に示すように、内周面に螺旋溝１ａを形成した筒状の容器本体１と、この筒状の容器本体１内に相対回転可能に収容され、上下方向にガイド孔２ａを有するガイド筒２と、このガイド筒２内に収容する被繰り出し物を保持するカップ３とからなる。
【００２１】
上記ガイド筒２の下部には、容器本体１を持ってガイド筒２を回転させることができるように、容器本体１の下方に突出する袴部１０を形成している。また、ガイド筒２のガイド孔２ａの上端は、切り割り９によって切りかかれ、この切り割り９によって、カップ３をガイド筒２内に組み込む際に、ガイド筒２の上端部を広げることができるようにしている。
【００２２】
螺旋溝１ａは、容器本体１の内周面に、周方向に１８０度の間隔を空けて対向するように２本形成している。
【００２３】
カップ３は、図１（ａ）に示すように、カップ本体３ａと、カップ本体３ａ内に昇降可能に収容される底部材３ｂとの２重構造になっている。
【００２４】
底部材３ｂは、カップ本体３ａの内側に挿し込み可能な太さの筒状部材で形成され、その一端部に口紅等の被繰り出し物の端部を支持する支持面を有する。この支持面の中心には、口紅等の被繰り出し物を成型充填する際に使用する充填孔１１が設けられている。筒状の底部材３ｂの外面下端には、ガイド筒２のガイド孔２ａを介して容器本体１の内周面の螺旋溝１ａに係合する係合突起４が、周方向に１８０度の離れた位置に各１個ずつ形成されている。この係合突起４が容器本体１の内周面の螺旋溝１ａに係合しているので、容器本体１とガイド筒２とを相対回転させると、螺旋溝１ａに沿って係合突起４が移動し、ガイド筒２のガイド孔２ａに沿って底部材３ｂが上下動する。
【００２５】
カップ本体３ａは、底部材３ｂの２倍程度の長さに設けられ、中程から下方部分の対向位置に、底部材３ｂの各係合突起４を上下方向にガイドする切欠き８を有する。
【００２６】
底部材３ｂの外周面には、階段状に複数段の係合溝６が周面に沿って形成され、カップ本体３ａ内には、底部材３ｂの外面の係合溝６と係合する突起７が形成され、被繰り出し物が容器内に十分にある状態では、図２（ａ）に示すように、カップ本体３ａ内に収容した底部材３ｂが、カップ本体３ａの下端に押し込まれた位置にあり、底部材３ｂの外面の最上段の係合溝６に突起７が係合している。そして、被繰り出し物の残りが少なくなり、カップ本体３ａ内に残る被繰り出し物をカップ３の底部材３ｂをさらに上昇させて、カップ本体３ａ内に残る被繰り出し物を使用しようとする場合には、通常の繰り出しに要する力よりもより強い力で容器本体１とガイド筒２とを相対回転させ、カップ本体３ａに対し底部材３ｂを強く押し上げると、カチカチとカップ本体３ａの突起７が最上段の係合溝６から順番に下段の係合溝６に向かって、各係合溝６間の堰状突部を乗り越えて、下段の係合溝６に順番に移動し、図２（ｃ）に示すように、カップ本体３ａに対し底部材３ｂが順次押し上げられ、カップ本体３ａ内に残る被繰り出し物を最後まで使い切ることができる。
【００２７】
反対に、図２（ｃ）に示す位置から、カチカチとカップ本体３ａの突起７を、最下段の係合溝６から順番に上段の係合溝６に向かって、各係合溝６間の堰状突部を乗り越えて移動させると、カップ本体３ａに対し底部材３ｂを、図２（ａ）に示す位置まで戻すことができる。
【００２８】
上記底部材３ｂの上面の支持面には、口紅等の被繰り出し物の下面に突き刺さるアンカー突起１２が複数形成されている。また、カップ本体３ａの内面の上半部には、成形後の被繰り出し物の外周に埋まる上下方向の突条１３が複数本形成されている。なお、口紅等の被繰り出し物の成形は、カップ本体３ａの上部に成形型を被せた状態で、充填孔１１の下方から口紅等の被繰り出し物の材料を流し込んで行うことができる。
【００２９】
上記底部材３ｂの上面のアンカー突起１２が口紅等の被繰り出し物の下面に突き刺さるようにし、さらに、カップ本体３ａの内面の突条１３が被繰り出し物の外側面に埋め込まれるようにすることにより、カップ本体３ａに残った被繰り出し物を使用する際に、カップ本体３ａに対し底部材３ｂをカチカチと上昇させていっても、被繰り出し物がカップ本体３ａにしっかりと保持され、被繰り出し物の抜け落ちがなく、しかも、カップ本体３ａの内面の突条１３が被繰り出し物のガイドの役割を果たすので、カップ本体３ａ内における被繰り出し物の上下動をスムーズに行うことができる。
【００３０】
上記ガイド筒２には、ガイド孔２ａと平行にストッパ孔２ｂが形成され、このストッパ孔２ｂに嵌まるストッパ突起５をカップ本体３ａの外面に形成している。
【００３１】
ストッパ孔２ｂの上端には、容器本体１とガイド筒２とを相対回転させてカップ本体３ａの上端を容器本体１の上端付近まで繰り出した状態で、カップ本体３ａのストッパ突起５が引っ掛かる屈曲部２ｃを形成し、ストッパ突起５がストッパ孔２ｂの屈曲部２ｃに引っ掛かると、それ以上はカップ本体３ａが上方に繰出されないようになっている。したがって、カップ本体３ａが上方に繰出されない状態のまま、さらに容器本体１とガイド筒２とをカップ本体３ａを押し上げる方向に回転させると、カップ本体３ａの突起７が最上段の係合溝６から順番に下段の係合溝６に向かって係合し、カップ本体３ａ内で底部材３ｂがカップ本体３ａに対し上方へ移動し、カップ本体３ａ内の口紅等の被繰り出し物がカップ本体３ａの上方に順次押出される。
【００３２】
また、ストッパ孔２ｂの下端には、カップ本体３ａが容器本体１の最下方まで繰り下げた位置で、繰り下げ方向に、容器本体１とガイド筒２とを相対回転させた際に、ストッパ突起５が嵌まる屈曲部２ｄが形成され、屈曲部２ｄにストッパ突起５が係合した位置で、カップ本体３ａがそれ以上繰り下がらないようになっている。
そして、このストッパ突起５とストッパ孔２ｂの下端の屈曲部２ｄとの係合を解除することができるように、カップ本体３ａが容器本体１の最下方まで繰り下げた位置で、カップ本体３ａを解除方向に回転させることができるように、ガイド筒２のガイド孔２ａの下部に、広幅部２ｅを設けている。
【００３３】
以上の実施形態においては、カチカチとカップ本体３ａの突起７が各係合溝６間の堰状突部を乗り越えて移動させる際に、図１（ｄ）に示すように、係合溝６の背面側の筒状空間が、弾性的に撓むための撓み空間Ｂとして機能し、突起７が各係合溝６間の堰状突部を乗り越えて移動させる際の適度な抵抗を付与することができる。
【００３４】
また、カップ本体３ａの突起７の背面側にも撓み空間Ａが形成され、この撓み空間Ａによっても、カップ本体３ａの突起７が各係合溝６間の堰状突部を乗り越えて移動させる際の抵抗を適度に調節している。
【００３５】
このカップ本体３ａの突起７が各係合溝６間の堰状突部を乗り越えて移動させる際の抵抗が強い場合には、図５（ａ）に示すように、上記複数段の係合溝６の対向する上下の内壁面６ａ、６ｂを、外側に向かって開く傾斜面にすることにより、カチカチとカップ本体３ａの突起７が、各係合溝６間の堰状突部を乗り越えて移動させる際の抵抗を弱くすることができる。
【００３６】
ただし、抵抗が弱くなりすぎると、通常の使用、即ち、被繰り出し物がまだ沢山残っている状態で、底部材３ｂがカップ本体３ａ内を移動してしまい、被繰り出し物が通常よりも突出した状態となり、結果的に、被繰り出し物が脱落し易くなるので、角度（α）は急傾斜、即ち９１度〜４５度程度が望ましい。この角度（α）は、底部材３ｂやカップ本体３ａの材質、突起７の高さ、幅、形状、係合溝６の深さ、幅等、種々の条件によって大きく変わるものであり、設計によってこの範囲を外れる場合もあるので、上記数値は参考的な数値である。
【００３７】
被繰り出し物が少なくなり、底部材３ｂをカップ本体３ａ内で繰り出し方向に移動させる場合、更に繰り出そうとする意志をもって容器本体１とガイド筒２の袴部１０とを回転させ、ある程度の抵抗を感じつつ繰り出す状態でないと、この突起７と係合溝６の係合構造の意味が無いので、撓み空間（Ａ）（Ｂ）の大きさ、底部材３ｂとカップ本体３ａの肉厚設定、あるいは角度（α）は確実な抵抗の発現を確認しつつ設定するのがよい。
【００３８】
次に、図５（ｂ）に示すように、上記傾斜面の傾斜角度が、係合溝６の上下の内壁面のうち、底部材３ｂをカップ本体３ａに対して繰出す際に、カップ本体３ａの突起７が当接する係合溝６の下方の内壁面６ａの傾斜（角度α）が、上方の内壁面６ｂの傾斜（角度β）よりも急傾斜に形成することにより、底部材３ｂをカップ本体３ａに対して繰出す方向には、カチカチとカップ本体３ａの突起７が、各係合溝６間の堰状突部を乗り越えて移動させる際の抵抗を強め、反対方向、即ち、カップ本体３ａに対し底部材３ｂを引き戻す方向の抵抗を弱めることができる。このような傾斜構造とすることにより、被繰り出し物を更に繰り出す場合には、上述するように、ある程度の意志を持って無理に回転させることが必要な程度の抵抗を与え、無理に繰り出した被繰り出し物を収納する場合にはなるべく抵抗が少なく、スムーズに収容できるようになる。通常、角度αは上述したように９１度〜４５度程度であるが、角度βは４５を越え１０度程度が考えられる。しかし、上述したように、これらの角度は底部材３ｂやカップ本体３ａの材質、突起７の高さ、幅、形状、係合溝６の深さ、幅等、種々の条件によって大きく変わるものであり、設計によってこの範囲を外れる場合もあるので、上記数値は参考的な数値である。急傾斜、緩傾斜は角度αと角度βの相対的な角度の相違を意味し、その角度差が２度以上、好ましくは５度以上あれば、抵抗のある繰り出しと、抵抗の少ない収納が実現できる。
【００３９】
次に、図５（ｃ）は、カップ本体３ａの内面に形成された突起７の上下の壁面７ａ、７ｂを、底部材３ｂの係合溝６に向かって先細りの傾斜面とした例であり、この例のようにしても、カチカチとカップ本体３ａの突起７が、各係合溝６間の堰状突部を乗り越えて移動させる際の抵抗を弱くすることができる。この図５（ｃ）の例では、上記突起７の上下の傾斜面のうち、底部材３ｂをカップ本体３ａに対して繰出す際に、係合溝６の内壁面に当接する突起７の下方の傾斜面７ａの傾斜角度が、上方の傾斜面７ｂよりも急傾斜に形成することにより、底部材３ｂをカップ本体３ａに対して繰出す方向には、カップ本体３ａの突起７が、各係合溝６間の堰状突部を乗り越えて移動させる際の抵抗を強め、反対方向、即ち、カップ本体３ａに対し底部材３ｂを引き戻す方向の抵抗を弱めることができ、上述のように、ある程度の意志を持って無理に回転させることが必要な程度の抵抗を与え、無理に繰り出した被繰り出し物を収納する場合にはなるべく抵抗が少なく、スムーズに収容できるようになり、通常、急傾斜の角度は上述したように９１度〜４５度程度であるが、緩傾斜の角度は４５を越え１０度程度が考えられる。
【００４０】
次に、上記繰り出し容器の組立手順について説明する。
まず、図１（ａ）に示すように、２重構造のカップ３の組立を行う。
このカップ３の組立は、カップ本体３ａの切欠き８に、底部材３ｂの係合突起４が嵌まるように、カップ本体３ａの下端から底部材３ｂを嵌め入れ、底部材３ｂの最上段の係合溝６にカップ本体３ａの内面の突起７を係合させると、図１（ｂ）に示すように、カップ本体３ａと底部材３ｂとが結合する。
【００４１】
次いで、組立てたカップ３を、図１（ｂ）に示すように、ガイド筒２の上方からガイド筒２内に収容する。カップ３をガイド筒２の上方から押し込む際には、ガイド筒２のガイド孔２ｂの上端の切り割り９を開き、底部材３ｂの係合突起４がガイド孔２ａ内に、また、カップ本体３ａのストッパ突起５がストッパ孔２ｂ内に嵌まるようにする。
【００４２】
その後、容器本体１の螺旋溝１ａに、カップ３の係合突起４が嵌まるように、ガイド筒２に、容器本体１を被せることにより、繰り出し容器の組立が完了する。
【００４３】
次に、図６は、この発明に係る繰り出し容器の他の実施形態を示している。
この繰り出し容器は、ガイド筒２の上部に、被繰り出し物の鞘管１４を一体に形成し、また、ストッパ突起５を、カップ本体３ａの周囲に環状に形成し、図６（ｂ）に示す位置まで、カップ３を上昇させた状態で、ストッパ突起５が、鞘管１４の下端面に当たるようにし、それ以上カップ本体３ａが上方に繰出されないようにしている点が、図１〜図５に示す実施形態と相違する。その他の基本構成は図１〜図５に示す実施形態と同様であるから、同一の符合を付し、説明は省略する。
【００４４】
この図６の実施形態においても、カップ３を上昇させ、ストッパ突起５が鞘管１４の下端面に当たるようにし、カップ本体３ａが上方に繰出されない状態のまま、さらに容器本体１とガイド筒２とをカップ本体３ａを押し上げる方向に回転させると、カップ本体３ａの突起７が最上段の係合溝６から順番に下段の係合溝６に向かって係合し、カップ本体３ａ内で底部材３ｂがカップ本体３ａに対し上方へ移動し、カップ本体３ａ内の被繰り出し物がカップ本体３ａの上方に順次押出され、被繰り出し物を最後まで使い切ることができる。
【００４５】
図７（ｄ）に示すように、この例では、突起７の撓みをより容易にするために、突起７の両側部に、底部材３ｂの移動方向に沿ってほぼ並行に開口２０を設けたものである。これにより、底部材３ｂの係合溝６間を突起７が移動する際のスムーズさが増し、移動の際の感触がソフトになり、構成する材質にもよるが高級感が増す。
【００４６】
また、この例では、図７（ｅ）に示すように、底部材３ｂの被繰り出し物を保持する側の端部の外縁に、外方に向かって僅かに拡張された環状のスカート状部分２１を形成している。この環状スカート状部分２１の外径は、挿し込むカップ本体３ａの内径とほぼ等しく、即ち、カップ本体３ａの内面に接する程度にしている。このようにすると、被繰り出し物を押し上げる際に、被繰り出し物の外縁部のぎりぎりを支持することが可能となり、被繰り出し物がカップ本体３ａの内面に固着状態となっていても、良好な移動が可能となる。
【図面の簡単な説明】
【００４７】
【図１】この発明に係る繰り出し容器の一例を示す分解斜視図であり、（ａ）はカップ３の分解斜視図、（ｂ）はガイド筒２とカップ３との分解斜視図、（ｃ）はカップ３を収容したガイド筒２と容器本体１との分解斜視図、（ｄ）は底部材３ｂの縦断面図である。
【図２】（ａ）、（ｂ）、（ｃ）は、それぞれこの発明に係る繰り出し容器のカップ３の繰り出し位置を示す縦断面図であり、（ａ）はカップ３を最下方まで繰り下げた状態、（ｂ）はカップ３を螺旋溝１ａに沿って容器本体１の上方まで繰り出した状態、（ｃ）は（ｂ）の状態からさらに底部材３ｂをカップ本体３ａの上方まで上昇させた状態を示している。
【図３】（ａ）、（ｂ）、（ｃ）は、それぞれこの発明に係る繰り出し容器のカップ３の繰り出し位置を示す側面図であり、（ａ）はカップ３を最下方まで繰り下げた状態、（ｂ）はカップ３を螺旋溝１ａに沿って容器本体１の途中位置まで繰り出した状態、（ｃ）はカップ３を容器本体１の上方まで上昇させた後、さらに底部材３ｂをカップ本体３ａの上方まで上昇させた状態を示している。
【図４】（ａ）は図２（ａ）の矢印に沿う横断平面図、（ｂ）は図２（ｂ）の矢印に沿う横断平面図、（ｃ）は図２（ｃ）の平面図である。
【図５】（ａ）、（ｂ）、（ｃ）は、それぞれカップ本体３ａと底部材３ｂの変形例を示す部分拡大断面図である。
【図６】この発明に係る繰り出し容器の他の実施形態を示す縦断面図であり、（ａ）はカップ３を最下方まで繰り下げた状態、（ｂ）はカップ３を螺旋溝１ａに沿って容器本体１の途中位置まで繰り出した状態、（ｃ）はカップ３を容器本体１の上方まで上昇させた後、さらに底部材３ｂをカップ本体３ａの上方まで上昇させた状態を示している。
【図７】この発明に係る繰り出し容器の他の実施形態を示す縦断面図であり、（ｄ）はカップ本体３ａの斜視図、（ｅ）はカップ本体３ａと底部材３ｂの上端部の部分断面図を示している。
【図８】繰り出し容器の従来例を示す縦断面図であり、（ａ）はカップ３を最下方まで繰り下げた状態、（ｂ）はカップ３を螺旋溝１ａに沿って容器本体１の上方まで繰り出した状態、（ｃ）はカップ３を容器本体１の上方まで上昇させた後、さらに底部材３ｂをカップ本体３ａの上方まで上昇させた状態を示している。
【図９】（ａ）、（ｂ）、（ｃ）は、それぞれ従来例の繰り出し容器のカップ３の繰り出し位置を示す側面図であり、（ａ）はカップ３を最下方まで繰り下げた状態、（ｂ）はカップ３を螺旋溝１ａに沿って容器本体１の途中位置まで繰り出した状態、（ｃ）はカップ３を容器本体１の上方まで上昇させた後、さらに底部材３ｂをカップ本体３ａの上方まで上昇させた状態を示している。
【符号の説明】
【００４８】
１  容器本体
１ａ  螺旋溝
２  ガイド筒
２ａ  ガイド孔
２ｂ  ストッパ孔
２ｃ  屈曲部
２ｄ  屈曲部
２ｅ  広幅部
３  カップ
３ａ  カップ本体
３ｂ  底部材
４  係合突起
５  ストッパ突起
６  係合溝
７  突起
８  切欠き
９  切り割り
１０  袴部
１１  充填孔
１２  アンカー突起
１３  突条
１４  鞘管
【図１】
0004433415.tif 000002
【図２】
0004433415.tif 000003
【図３】
0004433415.tif 000004
【図４】
0004433415.tif 000005
【図５】
0004433415.tif 000006
【図６】
0004433415.tif 000007
【図７】
0004433415.tif 000008
【図８】
0004433415.tif 000009
【図９】
0004433415.tif 000010